(57)【特許請求の範囲】
【請求項１】
ビデオテキストデータ或いは電話を介して伝送されたデータの表示の方法であって、
テレビジョンセット或いはＶＣＲに設置或いは接続された受信器／復号器装置によって前記データを受信して復号し、復号されたデータを生成する、段階と、
テレビジョンセット或いはＶＣＲに設置或いは接続された符号器によって、前記復号されたデータを遠隔制御装置の画面上での前記ビデオテキストデータ又は電話を介して伝送されたデータの表示を最適化するフォーマットを有するフォーマットされたデータへ符号化する段階と、
前記フォーマットされたデータを前記テレビジョンセットの前記遠隔制御装置或いは前記ＶＣＲの前記遠隔制御装置へ放射する段階と、
前記フォーマットされたデータを、画面とメモリと電源とを有する前記遠隔制御装置により受信する段階と、
前記フォーマットされたデータを前記遠隔制御装置の前記画面に表示する段階とを含むことを特徴とする方法。
【請求項２】
前記フォーマットされたデータは前記遠隔制御装置へ放射される前に変調されることを特徴とする請求項１記載の方法。
【請求項３】
前記フォーマットされたデータのうち全てのフォーマットされたデータ或いは幾らかのフォーマットされたデータが前記遠隔制御装置のメモリに格納され、使用者の命令に従って表示されることを特徴とする請求項１又は２記載の方法。
【請求項４】
前記遠隔制御装置の前記画面を制御するマイクロプロセッサは、前記テレビジョンセットによって受信されたプログラムに対応するデータを、このプログラムのタイプに関連する符号の自動的な認識か或いは前記画面へ放射された文字の構文の認識のどちらかによって選択できるソフトウェアを備えられ、これらのプログラムをタイプによって表示できることを特徴とする請求項１乃至３のうちいずれか１項記載の方法。
【請求項５】
前記画面は触覚画面であり、前記フォーマットされたデータは、前記画面に表示され、前記画面に表示された文字を認識できまた前記テレビジョンセット及び／又はＶＣＲを行を選択することによってプログラムできるソフトウェアを含むマイクロプロセッサによって処理されることを特徴とする請求項１乃至４のうちいずれか１項記載の方法。
【請求項６】
ビデオテキストデータ或いは電話を介して伝送されたデータのテレビジョン画面上への表示のための表示装置であって、
前記データを受信し復号化し、復号されたデータを生成する、データ受信器／復号器装置と、
前記復号されたデータを遠隔制御装置の画面上での前記ビデオテキストデータ又は電話を介して伝送されたデータの表示を最適化するフォーマットを有するフォーマットされたデータへ符号化する符号器と、
放射データ受信部、画面、メモリ、及び電源を含む遠隔制御装置へ前記フォーマットされたデータを放射する放射装置と、
を有することを特徴とする表示装置。
【請求項７】
前記画面は、平な液晶或いはプラズマスクリーンであることを特徴とする請求項６記載の表示装置。
【請求項８】
前記画面は、触覚画面であることを特徴とする請求項７記載の表示装置。
【請求項９】
前記画面に表示された文字の構文或いは識別符号の認識のための機能を含むマイクロプロセッサによって制御されることを特徴とする請求項８記載の表示装置。
【請求項１０】
請求項１乃至４のうちいずれか１項記載の方法を使用することを特徴とする請求項６又は７記載の表示装置。
【請求項１１】
請求項５記載の方法を使用することを特徴とする請求項８又は９記載の表示装置。
【発明の詳細な説明】
【０００１】
【産業上の利用分野】
本発明は、ビデオテキスト或いは電話データの表示の方法、及びテレビジョンセットで受信されたプログラムをこれらの表示されたデータを用いて制御するための上記方法に対する改良に関する。本発明は、またこの方法およびその改良の実施のための装置にも関する。
【０００２】
【従来の技術】
テレテキストサービス及び欧州以外におけるそれと等価なものは、テレビジョンの画面にビデオテキストページ、即ち例えばニュース、天気予報、及びテレビプログラムのような幅広い種々の情報を常にカラーで提供する一組のアルファベット文字・数字列を表示することができる。ビデオテキスト信号は、画像及び音声信号と同じ時間に種々のチャネルによって伝送される。ページの数が表示され、それらに含まれる情報は定期的に更新される。ビデオテキスト及びその規格の例は、Ｃ．Ｃ．Ｅ．Ｔ．Ｔ．（Television and Telecommunications Common Studies Center)の「Videotext display and coding specifications 」D.A.I.I.(Industrial and International Affairs Directorate)発行、に示されている。
【０００３】
今日では、ビデオテキストページを画面全体に、或いは現在のプログラムの画面を部分的にマスクしてその中に挿入して表示するいくつかの方法がある。さらにこのサービスでは、テレビ視聴者は膨大な量の情報を有するが、彼がそれによって成しえる全てのことはそれを読むことである。
【０００４】
【発明が解決しようとする課題】
本発明は、テレビ放送された画面及びビデオテキストを互いに妨害することなしに見られるようにすることによって、テレビ視聴者がビデオテキストを使用することを容易にする。本発明に係わる方法は、テレビジョンセットの前に居ることを必要としないで、ビデオテキストページに含まれる情報を表示し、従って、従来のシステムに存在する情報を読むための距離の拘束を全て除去する。
【０００５】
第二に、テレビ視聴者は、テレビジョンセットのスイッチを入れることなしにビデオテキストページを表示できる。
本発明に対する向上によって、テレビ視聴者が、数字キーを用いるよりもテレテキストによって表示されたプログラム名を用いて、テレビプログラムを制御できるようになる。
【０００６】
一般に、テレビ視聴者は、彼のテレビでビデオテキストを読んだりプログラムを制御するのに使用するために、本発明が容易であることが分かるであろう。
本発明は、また電話で受信した情報を表示するために使用することができる。これらのデータは、音の或いは「ミニテル(Minitel) 」の様式であり、ビデオテキストと同じ方法で処理され、従って上述したのと同じ利点を提供する。
【０００７】
【課題を解決するための手段】
本発明は、ビデオテキストデータ或いは電話によって伝送されたデータを表示する方法に関し、以下の段階を含む。
・テレビジョンに配置され或いはそれに接続された受信機／復号器装置によって前記データを受信して復号する段階、
・テレビジョン及び／又はＶＣＲの制御装置へのデータを送信する段階、
・前記データを受信して制御装置の表示装置に表示する段階。
【０００８】
本発明は、また、前記データが受信され復号化された後に、画面上でビデオテキストデータの表示を最適化するフォーマットへの付加的な符号化段階を含み、また得られた信号は送信される前に変調される。
１つ或いは幾つかのチャネルからの全ての或いは幾つかのビデオテキストデータは、メモリに（好ましくは制御パネルにおいて）格納され、使用者が必要とする時に表示される。
【０００９】
さらに、本発明に係わる方法に対する向上は、データが触覚画面に保持され、また使用者が触覚画面の適切な領域（一般的には線）を押して行を選択することによってテレビジョンセット或いはＶＣＲをプログラムできるようにした構文或いは関連する符号を認識できるソフトウェアを含むマイクロプロセッサによて処理されることである。
【００１０】
この発明は、また画像的データ或いは電話のハンドセット或いはミニテルを介して受信したデータの表示のためのシステムに関し、本発明に係わる方法を使用している。これは、少なくともビデオテキスト信号の受信機／復号器、これらのデータを制御パネルへ送信するための装置を含み、該制御パネルは送信されたデータのための受信装置及びこれらの信号を表示するための装置を含んでいる。この表示装置は、触覚画面で構成できる。この場合、構文の認識機能或いは表示装置に表示された文字の識別符号を含むマイクロプロセッサによって制御され、必要なプログラムを識別する文字に対応して制御パネル画面上の領域を簡単に押すことによってテレビジョンセット或いはＶＣＲのプログラムを自動的に選択される。
【００１１】
【実施例】
本発明を形成する方法を示す図１に描かれている以下の説明を読むことによって、本発明をより理解でき、また付加的な利点が明確化される。
図１は、少なくともチューナー２とテレビジョンがビデオテキストを受信、記憶及び表示できるようにするテレテキスト復号器３とを含むテレビジョンセット１を示している。以下の説明はテレテキストデータに関するが、本発明に係わる方法は、電話によって受信したデータも処理する。
【００１２】
欧州で使用されているビデオテキストの様式であるテレテキストの場合、チューナーは好ましくはＰＩＰ型（ピクチュア  イン  ピクチュア）であり、これは、種々のチャネルで各ビデオテキストサービスの繰り返しのアクセスを有するために、チャネルのスペクトラムを走査し、ＣＶＢＳ (「Color Video Burst Signal」国際標準）型の信号を、受信及び復号装置、出来れば例えばＣＥＥＦＡＸフォーマットに適合するＩＴＴ型のＴＰＵ３０４０或いはシーメンスのＳＤＡ５２７３型装置へ送信する。
【００１３】
テレテキストデータは、この説明の残りで検討するが、本発明は、全てのタイプのビデオテキスト或いは「ミニテル」型或いは音響データのアルファベット文字・数字を含む電話によって伝送されたデータを処理するためにも適用できる。適切なモデムは電話で受信された信号のために使用されなければならず、例えば、ＩＴＴ  ＬＯＴＴＩ装置のようなもので、電話データを受信しＡＳＣII（「American Code for Information Interchange 」）データを出力する。この装置はテレビジョンに接続することができ、中に組み込み、或いは遠隔制御器へ直接放射するモデム−エミッタ箱の中に入れることもできる。遠隔制御器へ組み込むことも可能であり、その場合遠隔制御器は、テレビジョン及び／又はＶＣＲ制御装置、電話或いはコードレス電話として作用できる。
【００１４】
このとき、テレテキストデータは有益的に符号器４によって、特定のデジタルデータの伝送フォーマット、もし望むならば、放射器５を介して変調および放射されるためにＣＥＥＦＡＸフォーマットを使用することを避けることができるフォーマットへ符号化される。この放射器は、好ましくは無線波（ＲＦ）の放射器であるが、赤外線（ＩＲ）の放射器も使用でき、或いはその信号は主電源を介して送信できる。例えば、トムソンのＲＣＴ８０００「黒水晶」或いは三菱のＭ３４２３０ＩＲ遠隔制御器が使用できる。このデータ通信は、テレビジョンが「スタンバイ」状態にあるとき、言い換えればＰＩＰチューナー、テレテキスト復号器、放射器、及びマイクロプロセッサのスイッチが入っているときに有益的に行われる。これは、後で説明するように本発明の付加的な利点である。
【００１５】
テレビジョン１の遠隔装置６は、少なくとも１つのアンテナとテレビジョン１によって放射された信号を復調する復調器よりなる受信機７を含む。この装置の例は、ＩＣＣ１０組で使用されるシャープのＧＰ１Ｕ５８ＸＹ  ＩＲ受信機である。制御パネル６は、受信機７で受信される全フォーマット化されたテレテキストデータが格納されるメモリをさらに含む。例えば、このＤＲＡＭ型のメモリは、ＡＳＣIIデータを受信或いは送信できる。新たなテレテキストデータが受信される毎に、それらはテレテキスト復号器３によって復号化され、検討されたフォーマットで符号化され、放射器５によって放射され、受信機７によって受信されさらにメモリ８の内容が更新される。
【００１６】
このテレテキストデータの格納メモリは、テレビジョン符号器４と放射器５との間に設置することができるが、テレビジョンと制御装置との間に伝送されるデータ量を制限し、より気楽に使用できるようにするためには、メモリは制御装置に設置することが好ましい。
メモリ８は、１つ或いはいくつかのテレテキストサービスから、全ての或いは少しのページ（例えば全てのニュースに対応する約２０ページ）を格納できる。それは、また使用者によって選択されたページより先及び／又は以前の２〜３ページだけを読みだすこともできる。
【００１７】
制御装置は、メモリ８に関連して平面画面型の表示装置１０を制御するマイクロプロセッサ９を含んでいる。このマイクロプロセッサは、画面１０上でフォーマットされたデータを表示する。テレテキストデータが符号化されているフォーマットは、少なくともアルファベット文字・数字（好ましくは１行あたり４０文字で２４行）にでなければならない表示を最適化するように選択される。
【００１８】
さらに、制御装置は、伝統的な電源、制御信号放射器（通常はＩＲ）、及びテレビジョンセット及びテレテキストページを表示する制御パネル画面のパラメータを制御するための制御キーを備えている。制御パネル画面は、液晶画面或いはプラズマパネルで構成できる。
本発明に係わる装置は、以下のプロセスを使用する。
・テレテキストデータは、テレビジョン或いはＶＣＲに設置された或いはそれに接続された受信／復号器装置によって受信および復号される、
・変調され、さらにテレビジョンから制御装置へ放射される、
・制御装置によって受信され、メモリに格納される、
・次に表示装置に表示される。
【００１９】
このようにして、テレビ視聴者は、テレビジョンで画面をまた遠隔制御器でテレテキストページを同時に見ることができる。例えば、ビデオテキストページを表示する好ましい方法は、画面の１つの側にサービスの要約を含むページを、他方の側に使用者がスクロールできるページを常に表示しておくことである。他の表示の方法は、本を拾い読みするのと同じ方法で使用者が個々にページをスクロールできるようにして、同時に２つのページを表示することである。後者の表示モードでの使用を容易にするために、ページのスクロールはスクロールボタンによって制御され、言い換えれば、キャタピラー型の制御ボタンであり、使用者がそれをスライドさせて制御したとき、次の或いは手前の１ページ或いは複数のページを表示する。
【００２０】
本発明の他の利点は、使用者がテレビジョンプログラムを表示でき、かつ他のチャネルのプログラムを見ながら１つのプログラムを見ることができる。
画面に表示された文字或いは関連する識別符号を認識できるアルゴリズムを使用する簡易なマイクロプロセッサを用いることによって、本発明に係わる方法は、制御装置の画面に、日時およびプログラムのタイプを含んで、プログラムの選択を表示できる。このタイプのアルゴリズムは、その方面の専門家によって作ることができる。
【００２１】
例えば、彼は他のチャネルのプログラムのリストを表示でき、そのリストは現在テレビジョンの画面で表示されているプログラムを示す行をハイライト化する。彼はまた、現在テレビジョンの画面で表示されているチャネルでのこれから来るプログラムのリストも表示できる。本発明の他の利点は、ソフトウェアがあるタイプのプログラム、例えば、スポーツニュースを含む「スポーツ」のテーマおよびスポーツを扱うこれからのプログラムを選択できる。この場合、各プログラムに関係する符号に対応するワード或いはデータは、メモリに格納されており、ソフトウェアによって認識される。
【００２２】
他のソフトウェアによって、使用者はプログラム或いはプログラムのタイプをプリセレクトするために遠隔制御キーボードを使用でき、テレビジョンの画面、テレテキストによって格納されたこのプログラムに対応するプログラムを表示する装置の画面上で選択される。この方法に対する他の向上は、彼が装置に命令を入力するときか或いは触感の画面を押すことによってそれらを選択するとき、メモリに使用者の命令を記憶することを含み、そして例えば、所定の繰り返しの後、使用者が遠隔制御器を使用してテレビジョンのスイッチを入れたときに制御パネルの画面及び／又はテレビジョンの画面上に自動的にそれらを表示する。
【００２３】
もし、テレビジョンと遠隔制御器とが無線波によって或いは主電源を介して通信する場合、本発明の他の利点は、たとえテレビジョンセットと同じ部屋に居ないかも知れず、またテレビジョンセットは消されているか或いは「スタンバイ」モード、言い換えれば画面のスイッチが入っていない状態にあるかも知れないが、使用者が彼の制御パネル及びパネル上に表示された全ての情報を見ることができることである。このとき遠隔制御器の機能は、テレテキストを含む本と同じである。
【００２４】
もし、制御装置が電話を介してデータを受信する場合、この制御装置は電話のようにも動作できる。
本発明に係わる装置の種々の構成要素（符号器４、放射器５、制御パネル６、受信機７、メモリ８、マイクロプロセッサ９、及び画面１０）は、設計或いは製造の困難性を当業者に対して提供するものではない。
【００２５】
本発明に対する向上は、表示装置１０のような触感の画面および表示されたデータを処理するためのソフトウェアの使用である。
例えば、上述した好ましい表示モード及び触感の画面を使用することによって、使用者は要約のページにおけるタイトルの１つを含む画面の一部を押すことができ、対応するページをそのタイトルの反対側に表示されたページ番号から認識することによって表示するマイクロプロセッサによって、他のページにおいて選択されたタイトルに対応する情報を見ることができる。例えば、関連するタイトルは、まだ表示されている他のページ上でハイライト化できる。
【００２６】
この分野の専門家はしばしば、この形式の文字／構文の認識機能を伴うマイクロプロセッサを使用する。
プログラムに対する識別符号（「表示（showview) 」型）がビデオテキスト信号と同時に伝送される場合、使用者は、選択したプログラムの名前及び出来るならば識別符号が表示されている画面の一部を押すことによって、彼のテレビジョンセット或いはＶＣＲを自動的にプログラムできる。
【００２７】
識別符号がビデオテキストと共に伝送されない場合は、テレビジョンセット或いはＶＣＲを自動的にプログラムするために、プログラムに関連しかつプログラムと同じ領域に表示される日時の識別によって適切なアルゴリズムを用いて、マイクロプロセッサが識別符号を作成できる。
本発明の他の用途は、プログラムを選択し、現在のプログラムのリストを他のチャネル上に並列に自動的に表示するために、触感の画面を使用することの可能性である。
【００２８】
本発明に係わるこの方法およびその向上によって見られるように、遠隔制御器は、使用者がそれを通して拾い読みできる純粋な相互作用的な本と成りえることができ、また、テレビジョンに表示されるプログラムを制御し、テレビジョン及びＶＣＲをプログラムする非常に安易な方法と成りうることができる。
本発明は、少なくとも１つのビデオテキストサービス或いは電話データを直接或いは独立した遠隔制御器を介して受信することができる全ての型のテレビジョンセットに適用可能である。
【図面の簡単な説明】
【図１】少なくともチューナー２とテレビジョンがビデオテキストを受信、記憶及び表示できるようにするテレテキスト復号器３とを含むテレビジョンセット１を示す図である。
【符号の説明】
１  テレビジョンセット
２  チューナー
３  テレテキスト復号器
４  符号器
５  放射器
６  遠隔装置
７  受信機
８  メモリ
９  マイクロプロセッサ
１０  表示装置
ＩＲ  赤外線
【図１】
0003669723.tif 000002